(57)【要約】【課題】  ドレイン水を安定した状態でドレイン排水溝部材の排水路へ流し出すことができるドレイン連結具を提供すること。【解決手段】  屋外の床面に設置されてドレインホースからのドレイン水を受けて流して排水するためのドレイン排水溝部材１に、取り付けて用いられ、ドレインホースの出口端部をドレイン排水溝部材１に連結させるための、ドレイン連結具３において、ドレインホースの出口端部が差し込まれ、ドレイン水をドレイン排水溝部材の排水路に向けて流すようになっている、ホース差込孔部７と、ドレイン排水溝部材１に直接取り付けられ、ドレイン排水溝部材１の排水路を上方から塞ぐ蓋体を構成する、取付部８と、からなることを特徴としている。【選択図】図２
2007113355.tif 000002
【特許請求の範囲】
【請求項１】
屋外の床面に設置されてドレインホースからのドレイン水を受けて流して排水するためのドレイン排水溝部材に、取り付けて用いられ、ドレインホースの出口端部をドレイン排水溝部材に連結させるための、ドレイン連結具において、
ドレインホースの出口端部が差し込まれ、ドレイン水をドレイン排水溝部材の排水路に向けて流すようになっている、ホース差込孔部と、
ドレイン排水溝部材に直接取り付けられ、ドレイン排水溝部材の排水路を上方から塞ぐ蓋体を構成する、取付部と、からなることを特徴とするドレイン連結具。
【請求項２】
ホース差込孔部が、パイプからなっており、
取付部が、パイプの下縁から横方向に広がった板体からなっている、請求項１記載のドレイン連結具。
【請求項３】
複数のドレインホースの出口端部がそれぞれ差し込まれるように、パイプの上流側が複数に分岐している、請求項２記載のドレイン連結具。
【請求項４】
取付部にて、ドレイン排水溝部材に対して、長手方向にスライドして脱着可能となっている、請求項２記載のドレイン連結具。
【請求項５】
ドレイン排水溝部材の排水路が、底部と両側部とで構成されており、
取付部が、その両縁部を排水路の両側部に形成された溝部に挿入することによって、ドレイン排水溝部材に対してスライドするようになっている、請求項４記載のドレイン連結具。
【請求項６】
取付部の上記両縁部が、水平に対して傾斜している、請求項５記載のドレイン連結具。
【請求項７】
ドレイン排水溝部材の排水路が、底部と両側部とで構成されており、
取付部が、その両縁部に形成された溝部に排水路の両側部に形成された突部を挿入することによって、ドレイン排水溝部材に対してスライドするようになっている、請求項４記載のドレイン連結具。
【請求項８】
取付部の上記溝部が、水平に対して傾斜している、請求項７記載のドレイン連結具。
【請求項９】
ホース差込孔部と取付部とが１個のブロック体で構成されており、
ホース差込孔部が、ブロック体に形成された貫通孔であり、
取付部が、ブロック体の下部である、請求項１記載のドレイン連結具。
【請求項１０】
複数のドレインホースの出口端部がそれぞれ差し込まれるように、貫通孔の上流側が複数に分岐している、請求項９記載のドレイン連結具。
【請求項１１】
取付部にて、ドレイン排水溝部材に対して、長手方向にスライドして脱着可能となっている、請求項９記載のドレイン連結具。
【請求項１２】
ドレイン排水溝部材の排水路が、底部と両側部とで構成されており、
取付部が、排水路の両側部に形成された溝部に挿入可能な突部を有しており、該突部を該溝部に挿入することによって、ドレイン排水溝部材に対してスライドするようになっている、請求項１１記載のドレイン連結具。
【請求項１３】
取付部の上記突部が、水平に対して傾斜している、請求項１２記載のドレイン連結具。
【請求項１４】
ドレイン排水溝部材の排水路が、底部と両側部とで構成されており、
取付部が、排水路の両側部に形成された突部が挿入可能な溝部を有しており、該溝部に該突部を挿入することによって、ドレイン排水溝部材に対してスライドするようになっている、請求項１１記載のドレイン連結具。
【請求項１５】
取付部の上記溝部が、水平に対して傾斜している、請求項１４記載のドレイン連結具。
【請求項１６】
ドレイン排水溝部材の排水路が、底部と両側部とで構成されており、
取付部が、排水路の両側部又は底部に形成された溝部に嵌合可能な突部を有しており、該突部を該溝部に嵌合させることにより、ドレイン排水溝部材に取り付けられるようになっている、請求項１記載のドレイン連結具。
【請求項１７】
ドレイン排水溝部材の排水路が、底部と両側部とで構成されており、
取付部が、排水路の両側部又は底部に形成された突部が嵌合可能な溝部を有しており、該溝部に該突部を嵌合させることにより、ドレイン排水溝部材に取り付けられるようになっている、請求項１記載のドレイン連結具。
【請求項１８】
取付部が、ドレイン排水溝部材の排水路を塞ぐ蓋部材の縁部が嵌合可能な溝部を有しており、該溝部に該縁部を嵌合させることにより、ドレイン排水溝部材に取り付けられるようになっている、請求項１記載のドレイン連結具。
【請求項１９】
屋外の床面に設置されてドレインホースからのドレイン水の排水を行うための、ドレイン排水設備において、
ドレインホースからのドレイン水を受けて流して排水するための、ドレイン排水溝部材と、
ドレインホースの出口端部をドレイン排水溝部材に連結するための、ドレイン連結具と、を備えており、
ドレイン連結具が、請求項１乃至請求項１８のいずれか１つに記載のものであり、
ドレイン連結具が、取付部をドレイン排水溝部材に直接取り付けることにより、ドレイン排水溝部材の長手方向の任意の位置に取り付けられることを特徴とするドレイン排水設備。
【請求項２０】
屋外の床面に設置された、ドレイン排水設備及び床材、を備えた屋外床面設備において、
請求項１９に記載のドレイン排水設備が、ドレインホースからのドレイン水を受けて排水するよう、屋外の床面に固定されており、
床材が、ドレイン排水溝部材の両側に配置されて屋外の床面に固定され、且つ、その縁部がドレイン排水溝部材の両側部に接合されていることを特徴とする屋外床面設備。
【発明の詳細な説明】
【技術分野】
【０００１】
本発明は、ドレイン連結具、ドレイン排水設備、及び屋外床面設備に関するものである。ドレイン連結具は、ドレインホースの出口端部を、ドレインホースからのドレイン水を受けて流して排水するためのドレイン排水溝部材に、連結するものである。ドレイン排水設備は、ドレイン排水溝部材と、ドレイン連結具と、からなるものである。屋外床面設備は、屋外の床面に設置された、ドレイン排水設備及び床材を備えたものである。
【背景技術】
【０００２】
マンション等の集合住宅の、共通廊下やベランダ等である屋外には、通常、冷暖房機の外機が設置されている。そして、外機からは、ドレインホースを通してドレイン水が排出されている。
【０００３】
ところで、ドレイン水をそのまま屋外の床面に垂れ流すと、ドレイン水が床面に広がっていき、次のような問題が生じる。
（１）ドレイン水の広がった場所に埃や砂等が付着し、床面に、汚れやシミができたりカビが発生したりする。
（２）床面が濡れることによって滑りやすくなるために、転倒事故が発生しやすくなる。
【０００４】
そこで、従来から、ドレイン水の排水対策が採られている。例えば、特許文献１には、ドレインホースからのドレイン水を受けて流して排水するためのドレイン排水溝部材が、示されている。このドレイン排水溝部材は、溝状の排水路すなわち上方に開放された排水路を備えている。そして、このドレイン排水溝部材に対して、ドレインホースは、その出口端部を排水路上に設置固定するだけで、連結されている。
【特許文献１】特開平１０−４６７６２号公報
【発明の開示】
【発明が解決しようとする課題】
【０００５】
しかしながら、ドレイン排水溝部材に対するドレインホースの上述した連結構造では、上方に開放された排水路に対して出口端部が開放された状態で存在しているため、出口端部から流れ出てくるドレイン水が跳ね上がって排水路から溢れ出てしまう恐れがあった。
【０００６】
本発明は、ドレイン水を安定した状態でドレイン排水溝部材の排水路へ流し出すことができるドレイン連結具、更には、当該ドレイン連結具を用いた、ドレイン排水設備及び屋外床面設備を、提供することを目的とする。
【課題を解決するための手段】
【０００７】
請求項１記載の発明は、屋外の床面に設置されてドレインホースからのドレイン水を受けて流して排水するためのドレイン排水溝部材に、取り付けて用いられ、ドレインホースの出口端部をドレイン排水溝部材に連結させるための、ドレイン連結具において、ドレインホースの出口端部が差し込まれ、ドレイン水をドレイン排水溝部材の排水路に向けて流すようになっている、ホース差込孔部と、ドレイン排水溝部材に直接取り付けられ、ドレイン排水溝部材の排水路を上方から塞ぐ蓋体を構成する、取付部と、からなることを特徴としている。
【０００８】
請求項２記載の発明は、請求項１記載の発明において、ホース差込孔部が、パイプからなっており、取付部が、パイプの下縁から横方向に広がった板体からなっているものである。
【０００９】
請求項３記載の発明は、請求項２記載の発明において、複数のドレインホースの出口端部がそれぞれ差し込まれるように、パイプの上流側が複数に分岐しているものである。
【００１０】
請求項４記載の発明は、請求項２記載の発明において、取付部にて、ドレイン排水溝部材に対して、長手方向にスライドして脱着可能となっているものである。
【００１１】
請求項５記載の発明は、請求項４記載の発明において、ドレイン排水溝部材の排水路が、底部と両側部とで構成されており、取付部が、その両縁部を排水路の両側部に形成された溝部に挿入することによって、ドレイン排水溝部材に対してスライドするようになっているものである。
【００１２】
請求項６記載の発明は、請求項５記載の発明において、取付部の上記両縁部が、水平に対して傾斜しているものである。
【００１３】
請求項７記載の発明は、請求項４記載の発明において、ドレイン排水溝部材の排水路が、底部と両側部とで構成されており、取付部が、その両縁部に形成された溝部に排水路の両側部に形成された突部を挿入することによって、ドレイン排水溝部材に対してスライドするようになっているものである。
【００１４】
請求項８記載の発明は、請求項７記載の発明において、取付部の上記溝部が、水平に対して傾斜しているものである。
【００１５】
請求項９記載の発明は、請求項１記載の発明において、ホース差込孔部と取付部とが１個のブロック体で構成されており、ホース差込孔部が、ブロック体に形成された貫通孔であり、取付部が、ブロック体の下部であるものである。
【００１６】
請求項１０記載の発明は、請求項９記載の発明において、複数のドレインホースの出口端部がそれぞれ差し込まれるように、貫通孔の上流側が複数に分岐しているものである。
【００１７】
請求項１１記載の発明は、請求項９記載の発明において、取付部にて、ドレイン排水溝部材に対して、長手方向にスライドして脱着可能となっているものである。
【００１８】
請求項１２記載の発明は、請求項１１記載の発明において、ドレイン排水溝部材の排水路が、底部と両側部とで構成されており、取付部が、排水路の両側部に形成された溝部に挿入可能な突部を有しており、該突部を該溝部に挿入することによって、ドレイン排水溝部材に対してスライドするようになっているものである。
【００１９】
請求項１３記載の発明は、請求項１２記載の発明において、取付部の上記突部が、水平に対して傾斜しているものである。
【００２０】
請求項１４記載の発明は、請求項１１記載の発明において、ドレイン排水溝部材の排水路が、底部と両側部とで構成されており、取付部が、排水路の両側部に形成された突部が挿入可能な溝部を有しており、該溝部に該突部を挿入することによって、ドレイン排水溝部材に対してスライドするようになっているものである。
【００２１】
請求項１５記載の発明は、請求項１４記載の発明において、取付部の上記溝部が、水平に対して傾斜しているものである。
【００２２】
請求項１６記載の発明は、請求項１記載の発明において、ドレイン排水溝部材の排水路が、底部と両側部とで構成されており、取付部が、排水路の両側部又は底部に形成された溝部に嵌合可能な突部を有しており、該突部を該溝部に嵌合させることにより、ドレイン排水溝部材に取り付けられるようになっているものである。
【００２３】
請求項１７記載の発明は、請求項１記載の発明において、ドレイン排水溝部材の排水路が、底部と両側部とで構成されており、取付部が、排水路の両側部又は底部に形成された突部が嵌合可能な溝部を有しており、該溝部に該突部を嵌合させることにより、ドレイン排水溝部材に取り付けられるようになっているものである。
【００２４】
請求項１８記載の発明は、請求項１記載の発明において、取付部が、ドレイン排水溝部材の排水路を塞ぐ蓋部材の縁部が嵌合可能な溝部を有しており、該溝部に該縁部を嵌合させることにより、ドレイン排水溝部材に取り付けられるようになっているものである。
【００２５】
請求項１９記載の発明は、屋外の床面に設置されてドレインホースからのドレイン水の排水を行うための、ドレイン排水設備において、ドレインホースからのドレイン水を受けて流して排水するための、ドレイン排水溝部材と、ドレインホースの出口端部をドレイン排水溝部材に連結するための、ドレイン連結具と、を備えており、ドレイン連結具が、請求項１乃至請求項１８のいずれか１つに記載のものであり、ドレイン連結具が、取付部をドレイン排水溝部材に直接取り付けることにより、ドレイン排水溝部材の長手方向の任意の位置に取り付けられることを特徴としている。
【００２６】
請求項２０記載の発明は、屋外の床面に設置された、ドレイン排水設備及び床材、を備えた屋外床面設備において、請求項１９に記載のドレイン排水設備が、ドレインホースからのドレイン水を受けて排水するよう、屋外の床面に固定されており、床材が、ドレイン排水溝部材の両側に配置されて屋外の床面に固定され、且つ、その縁部がドレイン排水溝部材の両側部に接合されていることを特徴としている。
【００２７】
なお、本願における「接合」は、接着剤を用いて、又は、溶接棒などを用いた熱溶着によって、又は、シーリング剤を用いて、又は、シーム液処理によって、又は、両面テープを用いて、又は、その他の周知の方法によって、達成できる。
【発明の効果】
【００２８】
請求項１記載の発明によれば、次のような効果を発揮できる。
（１）取付部がドレイン排水溝部材に直接取り付けられるので、次のような効果を発揮できる。
（1-1）間接的に取り付けられる場合に比して、取付作業を簡素化できる。
（1-2）ドレインホースの出口端部を確実にドレイン排水溝部材に連結できる。したがって、ドレインホースからのドレイン水を、床材上に漏らすことなく、ドレイン排水溝部材によって良好に受けて流すことができる。
【００２９】
（２）取付部がドレイン排水溝部材の排水路を塞ぐ蓋体となるので、ドレイン連結具を取り付けた箇所の排水路において、次のような効果を発揮できる。
（2-1）風によってドレイン水が溢れ出てしまうことはない。したがって、排水機能を良好に果たすことができる。
（2-2）排水路に外から運ばれてきた埃や砂等が溜まることはない。したがって、排水機能の低下を防止できる。
【００３０】
請求項２記載の発明によれば、簡単な構造でドレイン連結具を実現できる。
【００３１】
請求項３記載の発明によれば、現場においてドレインホースが複数本存在している場合に、１つのドレイン連結具で対処できる。
【００３２】
請求項４記載の発明によれば、次のような効果を発揮できる。
（１）取付部にてスライドさせることによって、ドレイン連結具を取り付ける位置を任意に設定できるので、ドレインホースの長さや位置に対応させてドレイン連結具を配置させることができる。したがって、ドレインホースの出口端部をドレイン排水溝部材に良好に連結できる。
（２）取付部を、スライドさせるだけでドレイン排水溝部材に対して脱着できるので、ドレイン連結具の脱着作業を容易に行うことができる。
（３）ドレイン連結具を取り付けた箇所の排水路が長年の使用によって詰まった場合に、取付部をスライドさせ当該排水路を露出させて排水路の詰まりを解消することができるので、メンテナンスを容易に行うことができる。
【００３３】
請求項５記載の発明によれば、次のような効果を発揮できる。
（１）取付部を、簡単な構成によって且つ安定して、ドレイン排水溝部材に対してスライドさせることができる。
（２）取付部の両縁部がドレイン排水溝部材の排水路の両側部の溝部に挿入された状態で、ドレイン連結具がドレイン排水溝部材に取り付けられるので、ドレイン連結具は、利用者の通常の歩行によっても、外れにくい。
（３）取付部の両縁部とドレイン排水溝部材の排水路の両側部の溝部との間には、取付部をドレイン排水溝部材に対してスライドさせるために、遊びが存在している。したがって、次のような効果を発揮できる。
（3-1）ドレイン連結具の脱着が困難となることはない。
（3-2）脱着を繰り返しても、スライドしにくくなったりドレイン連結具が外れやすくなったりすることはない。
（3-3）部材が経時的に変形しても、遊びがその変形を吸収するので、ドレイン連結具のスライドが不可能となることはない。
（3-4）部材の可撓性が大きくても小さくても、ドレイン連結具のスライドを円滑に行うことができる。
【００３４】
請求項６記載の発明によれば、上からの力に対する強度を向上できる。
【００３５】
請求項７記載の発明によれば、次のような効果を発揮できる。
（１）取付部を、簡単な構成によって且つ安定して、ドレイン排水溝部材に対してスライドさせることができる。
（２）取付部の両縁部の溝部にドレイン排水溝部材の排水路の両側部の突部が挿入された状態で、ドレイン連結具がドレイン排水溝部材に取り付けられるので、ドレイン連結具は、利用者の通常の歩行によっても、外れにくい。
（３）取付部の両縁部の溝部とドレイン排水溝部材の排水路の両側部の突部との間には、取付部をドレイン排水溝部材に対してスライドさせるために、遊びが存在している。したがって、次のような効果を発揮できる。
（3-1）ドレイン連結具の脱着が困難となることはない。
（3-2）脱着を繰り返しても、スライドしにくくなったりドレイン連結具が外れやすくなったりすることはない。
（3-3）部材が経時的に変形しても、遊びがその変形を吸収するので、ドレイン連結具のスライドが不可能となることはない。
（3-4）部材の可撓性が大きくても小さくても、ドレイン連結具のスライドを円滑に行うことができる。
【００３６】
請求項８記載の発明によれば、上からの力に対する強度を向上できる。
【００３７】
請求項９記載の発明によれば、簡単な構造でドレイン連結具を実現できる。
【００３８】
請求項１０記載の発明によれば、現場においてドレインホースが複数本存在している場合に、１つのドレイン連結具で対処できる。
【００３９】
請求項１１記載の発明によれば、次のような効果を発揮できる。
（１）取付部にてスライドさせることによって、ドレイン連結具を取り付ける位置を任意に設定できるので、ドレインホースの長さや位置に対応させてドレイン連結具を配置させることができる。したがって、ドレインホースの出口端部をドレイン排水溝部材に良好に連結できる。
（２）取付部を、スライドさせるだけでドレイン排水溝部材に対して脱着できるので、ドレイン連結具の脱着作業を容易に行うことができる。
（３）ドレイン連結具を取り付けた箇所の排水路が長年の使用によって詰まった場合に、取付部をスライドさせ当該排水路を露出させて排水路の詰まりを解消することができるので、メンテナンスを容易に行うことができる。
【００４０】
請求項１２記載の発明によれば、次のような効果を発揮できる。
（１）取付部を、簡単な構成によって且つ安定して、ドレイン排水溝部材に対してスライドさせることができる。
（２）取付部の突部がドレイン排水溝部材の排水路の両側部の溝部に挿入された状態で、ドレイン連結具がドレイン排水溝部材に取り付けられるので、ドレイン連結具は、利用者の通常の歩行によっても、外れにくい。
（３）取付部の突部とドレイン排水溝部材の排水路の両側部の溝部との間には、取付部をドレイン排水溝部材に対してスライドさせるために、遊びが存在している。したがって、次のような効果を発揮できる。
（3-1）ドレイン連結具の脱着が困難となることはない。
（3-2）脱着を繰り返しても、スライドしにくくなったりドレイン連結具が外れやすくなったりすることはない。
（3-3）部材が経時的に変形しても、遊びがその変形を吸収するので、ドレイン連結具のスライドが不可能となることはない。
（3-4）部材の可撓性が大きくても小さくても、ドレイン連結具のスライドを円滑に行うことができる。
【００４１】
請求項１３記載の発明によれば、上からの力に対する強度を向上できる。
【００４２】
請求項１４記載の発明によれば、次のような効果を発揮できる。
（１）取付部を、簡単な構成によって且つ安定して、ドレイン排水溝部材に対してスライドさせることができる。
（２）取付部の溝部にドレイン排水溝部材の排水路の両側部の突部が挿入された状態で、ドレイン連結具がドレイン排水溝部材に取り付けられるので、ドレイン連結具は、利用者の通常の歩行によっても、外れにくい。
（３）取付部の溝部とドレイン排水溝部材の排水路の両側部の突部との間には、取付部をドレイン排水溝部材に対してスライドさせるために、遊びが存在している。したがって、次のような効果を発揮できる。
（3-1）ドレイン連結具の脱着が困難となることはない。
（3-2）脱着を繰り返しても、スライドしにくくなったりドレイン連結具が外れやすくなったりすることはない。
（3-3）部材が経時的に変形しても、遊びがその変形を吸収するので、ドレイン連結具のスライドが不可能となることはない。
（3-4）部材の可撓性が大きくても小さくても、ドレイン連結具のスライドを円滑に行うことができる。
【００４３】
請求項１５記載の発明によれば、上からの力に対する強度を向上できる。
【００４４】
請求項１６又は１７に記載の発明によれば、取付部をドレイン排水溝部材の任意の位置に簡単且つ確実に固定できる。
【００４５】
請求項１８記載の発明によれば、蓋部材の縁部と取付部の縁部とを、溶着しなくても、液密的に接続できるので、取付作業を簡素化できる。
【００４６】
請求項１９記載の発明によれば、請求項１乃至請求項２２のいずれか１つのドレイン連結具に基づく効果を発揮できる。
【００４７】
請求項２０記載の発明によれば、請求項２３のドレイン設備に基づく効果を発揮できる。
【発明を実施するための最良の形態】
【００４８】
（基本的実施形態）
図１は、本発明の屋外床面設備の一例を示す部分断面斜視図である。この屋外床面設備１００は、マンション等の集合住宅の、共通廊下やベランダ等である屋外２００の床面２０１に、設けられているものであり、ドレイン排水溝部材１、床材２、及び、ドレイン連結具３を備えている。ドレイン排水溝部材１及び床材２は、床面２０１に貼り付け等により固定されている。なお、床材２としては、床シート、床タイル等がある。ドレイン排水溝部材１は、その長手方向（矢印Ｌ方向）が床面２０１を横断し、下流側端部が排水溝部２０２に臨むように、配置されている。床材２は、ドレイン排水溝部材１の両側に配置されている。ドレイン排水溝部材１の両側部５２、５３と床材２の縁部２１とは互いに当接させて溶着されている。符号１０１は溶着部を示している。ドレイン連結具３は、ドレイン排水溝部材１の上流側端部に取り付けられており、冷暖房装置の外機２０３からのドレインホース２０４をドレイン排水溝部材１に連結している。ドレイン排水溝部材１にドレイン連結具３を取り付けてなるものをドレイン排水設備３００と称する。図２は、ドレイン排水設備３００の斜視図である。図３は、ドレイン排水溝部材１の斜視図である。図４は、図３のIV−IV断面図である。
【００４９】
ドレイン排水溝部材１は、通水部材５と蓋部材６とからなっている。通水部材５は、ドレイン水を流すための長手方向に延びた排水路５０を有する細長い部材である。排水路５０は、底部５１と両側部５２、５３とで構成されている。両側部５２、５３には、それぞれ、内側に、水平な溝部５２１、５３１が形成されている。蓋部材６は、１枚の板体であり、その両縁部６１、６２を溝部５２１、５３１に挿入することによって、通水部材５に対してスライドするようになっている。すなわち、蓋部材６は、図５に示すように、通水部材５に対して、長手方向（矢印Ｌ方向）にスライドして脱着可能となっている。
【００５０】
図６はドレイン連結具３の拡大斜視図、図７は図２のVII−VII断面図である。ドレイン連結具３は、ホース差込孔部７と取付部８とからなっている。ホース差込孔部７は、図７に示すように、ドレインホース２０４の出口端部２０４１が差し込まれ、ドレイン水をドレイン排水溝部材１の排水路５０に向けて流すようになっている。取付部８は、ドレイン排水溝部材１に直接取り付けられ、ドレイン排水溝部材１の排水路５０を上方から塞ぐ蓋体を構成するものである。ホース差込孔部７と取付部８とは一体に形成されている。また、ホース差込孔部７の出口開口７０は、取付部８の裏面側に形成されている。具体的には、ホース差込孔部７は、パイプからなっており、取付部８は、パイプの下縁から横方向に広がった板体からなっている。そして、ドレイン連結具３は、図７に示すように、取付部８の板体の両縁部８１、８２を通水部材５の溝部５２１、５３１に挿入することによって、通水部材５に対してスライドするようになっている。すなわち、ドレイン連結具３は、図８に示すように、通水部材５に対して、長手方向にスライドして脱着可能となっている。なお、図２において、ドレイン連結具３の下流側縁部８３と蓋部材６の上流側縁部６３とは、互いに当接させて接合されている。
【００５１】
上記構成の屋外床面設備１００においては、外機２０３からのドレイン水が、ドレインホース２０４及びドレイン連結具３を通ってドレイン排水溝部材１の排水路５０に流れ込み、排水路５０を流れて、ドレイン排水溝部材１の下流側端部から排水溝部２０２へ流れ落ち、排水溝部２０２を流れて排水される。その際、ドレイン水は、ドレイン連結具３を通ってドレイン排水溝部材１の排水路５０に流れ込むので、ドレインホース２０４から床材２上に漏れ落ちることはない。しかも、ドレイン水は、ドレイン排水溝部材１の排水路５０に流れ込んだ後は、ドレイン連結具３の取付部８及び蓋部材６によって塞がれた排水路５０内を流れるので、ドレイン排水溝部材１から床材２上に流れ出ることはない。したがって、上記構成の屋外床面設備１００によれば、床材２上にドレイン水を漏らすことなく、ドレイン水を排水できる。
【００５２】
また、上記構成のドレイン連結具３によれば、次のような効果を発揮できる。
（１）取付部８がドレイン排水溝部材１に直接取り付けられるので、次のような効果を発揮できる。
（1-1）間接的に取り付けられる場合に比して、取付作業を簡素化できる。
（1-2）ドレインホース２０４の出口端部２０４１を確実にドレイン排水溝部材１に連結できる。したがって、ドレインホース２０４からのドレイン水を、床材２上に漏らすことなく、ドレイン排水溝部材１によって良好に受けて流すことができる。
【００５３】
（２）ドレイン連結具３の取付部８がドレイン排水溝部材１の排水路５０を塞ぐ蓋体となるので、ドレイン連結具３を取り付けた箇所の排水路５０において、次のような効果を発揮できる。
（2-1）風によってドレイン水が溢れ出てしまうことはない。したがって、排水機能を良好に果たすことができる。
（2-2）排水路５０に外から運ばれてきた埃や砂等が溜まることはない。したがって、排水機能の低下を防止できる。
【００５４】
（３）ホース差込孔部７の出口開口７０が、取付部８の裏面側に形成されているので、ドレインホース２０４からのドレイン水が、ドレイン排水溝部材１の排水路５０に流れ込んだ際に跳ね返っても、取付部８の裏面に当たって落下する。したがって、ドレインホース２０４からのドレイン水を、跳ね返りによって床材２上に漏出させることなく、排水路５０に流れ出させることができる。
【００５５】
（４）ドレイン連結具３が通水部材５に対してスライドして脱着可能であるので、次のような効果を発揮できる。
（4-1）取付部８を、スライドさせるだけで通水部材５に対して脱着できるので、ドレイン連結具３の脱着作業を容易に行うことができる。
（4-2）ドレイン連結具３を取り付けた箇所の排水路５０が長年の使用によって詰まった場合には、取付部８をスライドさせ排水路５０を露出させて排水路５０の詰まりを解消することができるので、メンテナンスを容易に行うことができる。
（4-3）取付部８をスライドさせるとともに、蓋部材６をスライドさせることによって、ドレイン連結具３を、ドレイン排水溝部材１の端部近傍だけでなく、任意の位置に、簡単に取り付けることができる。したがって、現場における施工の利便性を向上できる。
（4-4）取付部８の両縁部８１、８２が通水部材５の溝部５２１、５３１に挿入された状態で、ドレイン連結具３が通水部材５に取り付けられているので、ドレイン連結具３は、利用者の通常の歩行によっても、外れにくい。
（4-5）取付部８の両縁部８１、８２と通水部材５の溝部５２１、５３１との間には、取付部８を通水部材５に対してスライドさせるために、遊びが存在している。したがって、次のような効果を発揮できる。
（4-5-1）ドレイン連結具３の脱着が困難となることはない。
（4-5-2）脱着を繰り返しても、スライドしにくくなったりドレイン連結具３が外れやすくなったりすることはない。
（4-5-3）部材が経時的に変形しても、遊びがその変形を吸収するので、ドレイン連結具３のスライドが不可能となることはない。
（4-5-4）部材の可撓性が大きくても小さくても、ドレイン連結具３のスライドを円滑に行うことができる。
【００５６】
上記構成のドレイン排水設備３００によれば、上記構成のドレイン排水溝部材１を備えているので、次のような効果を発揮できる。
（１）ドレイン水を流すための排水路５０が蓋部材６によって塞がれているので、次のような効果を発揮できる。
（1-1）風によってドレイン水が排水路５０から溢れ出てしまうことはない。したがって、排水機能を十分に果たすことができる。
（1-2）排水路５０に外から運ばれてきた埃や砂等が溜まることはない。したがって、排水機能の低下を防止できる。
（1-3）排水路５０による段差が蓋部材６によって塞がれているため、利用者の躓きを防止でき、それ故、安全性を向上できる。
【００５７】
（２）蓋部材６が通水部材５に対してスライドして脱着可能であるので、次のような効果を発揮できる。
（2-1）蓋部材６を、スライドさせるだけで通水部材５に対して脱着できるので、蓋部材６の脱着作業を容易に行うことができる。
（2-2）長年の使用によって排水路５０が詰まった場合には、蓋部材６をスライドさせ排水路５０を露出させて排水路５０の詰まりを解消することができるので、メンテナンスを容易に行うことができる。
（2-3）蓋部材６をスライドさせることにより、ドレイン連結具３を取り付ける位置を、ドレイン排水溝部材１の端部近傍だけでなく、任意の位置に設定できる。したがって、現場における施工の利便性を向上できる。
（2-4）蓋部材６の両縁部６１、６２が通水部材５の溝部５２１、５３１に挿入された状態で、蓋部材６が通水部材５に取り付けられているので、蓋部材６は、利用者の通常の歩行によっても、外れにくい。
（2-5）蓋部材６の両縁部６１、６２と通水部材５の溝部５２１、５３１との間には、蓋部材６を通水部材５に対してスライドさせるために、遊びが存在している。したがって、次のような効果を発揮できる。
（2-5-1）蓋部材６の脱着が困難となることはない。
（2-5-2）脱着を繰り返しても、スライドしにくくなったり蓋部材６が外れやすくなったりすることはない。
（2-5-3）部材が経時的に変形しても、遊びがその変形を吸収するので、蓋部材６のスライドが不可能となることはない。
（2-5-4）部材の可撓性が大きくても小さくても、蓋部材６のスライドを円滑に行うことができる。
【００５８】
上記構成のドレイン排水設備３００及び床材２を備えた屋外床面設備１００によれば、上記構成のドレイン連結具３及び上記構成のドレイン排水溝部材１に基づく上述した効果を発揮できる。
【００５９】
（変形構造の例）
本発明においては、上述した実施形態の、各構成部材、各部の構造、更には全体の構造、に関連して、次のような種々の変形構造を採用できる。
【００６０】
［ドレイン連結具３のスライド構造の変形構造］
（１）図９は第１例を示す断面図である。このスライド構造では、取付部８の両縁部８１、８２が、水平に対して傾斜して形成されており、通水部材５の溝部５２１、５３１も、それに合わせて傾斜している。
【００６１】
この構造によれば、傾斜している分だけ取付部８に応力が働くので、その分だけ、ドレイン連結具３のスライドを安定して行うことができる。
【００６２】
（２）図１０は第２例を示す断面図である。このスライド構造では、取付部８の両縁部８１、８２に水平な溝部８１１、８２１がそれぞれ形成されており、排水路５０の両側部５２、５３に突部５２２、５３２がそれぞれ形成されており、取付部８が、その両縁部８１、８２の溝部８１１、８２１に排水路５０の突部５２２、５３２を挿入することによって、通水部材５に対してスライドするようになっている。
【００６３】
この変形構造によれば、次のような効果を発揮できる。
（ｉ）取付部８の溝部８１１、８２１に通水部材５の突部５２２、５３２が挿入された状態で、取付部８が通水部材５に取り付けられているので、ドレイン連結具３は、利用者の通常の歩行によっても、外れにくい。
（ii）取付部８の溝部８１１、８２１と通水部材５の突部５２２、５３２との間には、取付部８を通水部材５に対してスライドさせるために、遊びが存在している。したがって、次のような効果を発揮できる。
（ii-1）ドレイン連結具３の脱着が困難となることはない。
（ii-2）脱着を繰り返しても、スライドしにくくなったりドレイン連結具３が外れやすくなったりすることはない。
（ii-3）部材が経時的に変形しても、遊びがその変形を吸収するので、ドレイン連結具３のスライドが不可能となることはない。
（ii-4）部材の可撓性が大きくても小さくても、ドレイン連結具３のスライドを円滑に行うことができる。
【００６４】
（３）図１１は第３例を示す断面図である。この例は、図１０の構造の更なる変形構造である。このスライド構造では、取付部８の溝部８１１、８２１が、水平に対して傾斜して形成されており、通水部材５の突部５２２、５３２も、それに合わせて傾斜している。
【００６５】
この構造によれば、傾斜している分だけ取付部８に応力が働くので、その分だけ、ドレイン連結具３のスライドを安定して行うことができる。
【００６６】
［ドレイン連結具３の取付構造の変形構造］
【００６７】
（１）図１２は第１例を示す断面図である。この取付構造では、蓋部材６の上流側の縁部６３と当接する取付部８の縁部８３に、水平な溝部８３１が形成されており、取付部８の溝部８３１に、蓋部材６の縁部６３が、嵌合されている。なお、取付部８の両縁部８１、８２は、上述したいずれかのスライド構造を採用しているのが好ましい。
【００６８】
この構造によれば、蓋部材６の上流側の縁部６３と取付部８の縁部８３とを、接合しなくても、液密的に接続できるので、取付作業を簡素化できる。
【００６９】
（２）図１３は第２例を示す断面図である。この取付構造では、取付部８の両縁部８１、８２の裏面に形成した突部８１５、８２５が、通水部材５の両側部５２、５３に形成した溝部５２５、５３５に、嵌合されている。
【００７０】
この構造によれば、取付部８を通水部材５の任意の位置に簡単且つ確実に固定できる。
【００７１】
（３）図１４は第３例を示す断面図である。この取付構造では、取付部８の両縁部８１、８２の裏面に形成した突部８１６、８２６が、通水部材５の底部５１に形成した溝部５１５、５１６に、嵌合されている。
【００７２】
この構造によっても、取付部８を通水部材５の任意の位置に簡単且つ確実に固定できる。
【００７３】
（４）図１５は第４例を示す断面図である。この取付構造では、取付部８の両縁部８１、８２の裏面に形成した溝部８１７、８２７に、通水部材５の両側部５２、５３に形成した突部５２７、５３７が、嵌合されている。
【００７４】
この構造によっても、取付部８を通水部材５の任意の位置に簡単且つ確実に固定できる。
【００７５】
（５）図１６は第５例を示す断面図である。この取付構造では、取付部８の両縁部８１、８２の裏面に形成した溝部８１８、８２８に、通水部材５の底部５１に形成した突部５１７、５１８が、嵌合されている。
【００７６】
この構造によっても、取付部８を通水部材５の任意の位置に簡単且つ確実に固定できる。
【００７７】
（６）図１７は第６例を示す断面図である。この取付構造では、取付部８の両縁部８１、８２を排水路５０の両側部５２、５３の上に直接に溶着している。
【００７８】
この構造によっても、取付部８を通水部材５の任意の位置に簡単且つ確実に固定できる。
【００７９】
［ドレイン連結具３のホース差込孔部７の変形構造］
（１）図１８は第１例である。図１８において、（ａ）は側面図、（ｂ）は背面図である。このホース差込孔部７は、傾斜している。
【００８０】
この構造によれば、ドレインホース２０４の出口端部２０４１をホース差込孔部７に斜めに安定して差し込むことができる。
【００８１】
（２）図１９は第２例である。図１９において、（ａ）は側面図、（ｂ）は背面図である。このホース差込孔部７は、湾曲している。
【００８２】
この構造によれば、ドレインホース２０４の出口端部２０４１をホース差込孔部７から抜けにくくすることができる。
【００８３】
（３）図２０は第３例である。図２０において、（ａ）は側面図、（ｂ）は背面図である。このホース差込孔部７は、上流側が２つの差込孔部７１、７２に分岐している。
【００８４】
この構造によれば、現場においてドレインホース２０４が２本存在している場合に、１つのドレイン連結具３によって対処できる。
【００８５】
なお、ホース差込孔部７は、上流側が３つ以上に分岐してもよい。
【００８６】
［ドレイン連結具３の変形構造］
（１）図２１及び図２２は第１例である。図２１は斜視図である。図２２において、（ａ）は側面図、（ｂ）は正面図、（ｃ）は背面図である。このドレイン連結具３は、ホース差込孔部７と取付部８とが１個のブロック体３０で構成されている。ホース差込孔部７は、ブロック体３０に形成された貫通孔であり、取付部８は、ブロック体３０の下部である。そして、図２３に示すように、取付部８は、ブロック体３０の下部の両側に形成された突部８５、８６を排水路５０の両側部５２、５３に形成された溝部５２１、５３１に挿入することによって、通水部材５に対してスライドするようになっている。これにより、ドレイン連結具３は、取付部８にて、通水部材５に対して、長手方向にスライドして脱着可能となっている。
【００８７】
この構造によっても、基本的実施形態においてドレイン連結具３の効果として述べたのと同様の効果を発揮できる。
【００８８】
また、ホース差込孔部７が傾斜しているので、図２２（ａ）に示すように、ドレインホース２０４の出口端部２０４１をホース差込孔部７に斜めに安定して差し込むことができる。
【００８９】
更に、ブロック体３０の後端部の底部にストッパ８８を備えているので、ホース差込孔部７に差し込まれたドレインホース２０４から排水路５０へ流れ込んでくるドレイン水が、ドレイン連結具３の後方すなわち上流側に流れ出るのが、ストッパ８８によって、止められる。
【００９０】
［図２１のドレイン連結具３のスライド構造の変形構造］
（１）図２４は第１例を示す断面図である。このスライド構造では、取付部８の突部８５、８６が、水平に対して傾斜して形成されており、通水部材５の溝部５２１、５３１も、それに合わせて傾斜している。
【００９１】
この構造によれば、傾斜している分だけブロック体３０に応力が働くので、その分だけ、ドレイン連結具３のスライドを安定して行うことができる。
【００９２】
（２）図２５は第２例を示す断面図である。このスライド構造では、ブロック体３０の下部の両側に水平な溝部８７１、８８１がそれぞれ形成されており、排水路５０の両側部５２、５３に突部５２２、５３２がそれぞれ形成されており、ブロック体３０が、その両側の溝部８７１、８８１に排水路５０の突部５２２、５３２を挿入することによって、通水部材５に対してスライドするようになっている。
【００９３】
この構造によれば、次のような効果を発揮できる。
（ｉ）ブロック体３０の溝部８７１、８８１に通水部材５の突部５２２、５３２が挿入された状態で、ブロック体３０が通水部材５に取り付けられているので、ドレイン連結具３は、利用者の通常の歩行によっても、外れにくい。
（ii）ブロック体３０の溝部８７１、８８１と通水部材５の突部５２２、５３２との間には、ドレイン連結具３を通水部材５に対してスライドさせるために、遊びが存在している。したがって、次のような効果を発揮できる。
（ii-1）ドレイン連結具３の脱着が困難となることはない。
（ii-2）脱着を繰り返しても、スライドしにくくなったりドレイン連結具３が外れやすくなったりすることはない。
（ii-3）部材が経時的に変形しても、遊びがその変形を吸収するので、ドレイン連結具３のスライドが不可能となることはない。
（ii-4）部材の可撓性が大きくても小さくても、ドレイン連結具３のスライドを円滑に行うことができる。
【００９４】
（３）図２６は第３例を示す断面図である。この例は、図２５の構造の更なる変形構造である。このスライド構造では、ブロック体３０の溝部８７１、８８１が、水平に対して傾斜して形成されており、通水部材５の突部５２２、５３２も、それに合わせて傾斜している。
【００９５】
この構造によれば、傾斜している分だけブロック体３０に応力が働くので、その分だけ、ドレイン連結具３のスライドを安定して行うことができる。
【００９６】
［図２１のドレイン連結具３の取付構造の変形構造］
（１）図２７は第１例を示す断面図である。この取付構造では、蓋部材６の上流側の縁部６３と当接する取付部８の正面８９に、水平な溝部８９１が形成されており、取付部８の溝部８９１に、蓋部材６の縁部６３が、嵌合されている。なお、取付部８の両突部８５、８６は、上述したいずれかのスライド構造を採用しているのが好ましい。
【００９７】
この構造によれば、蓋部材６の上流側の縁部６３と取付部８の正面８９とを、接合しなくても、液密的に接続できるので、取付作業を簡素化できる。
【００９８】
（２）図２８は第２例を示す断面図である。この取付構造では、取付部８の両側部の下面に形成した突部８５５、８６５が、通水部材５の両側部５２、５３に形成した溝部５２５、５３５に、嵌合されている。
【００９９】
この構造によれば、取付部８を通水部材５の任意の位置に簡単且つ確実に固定できる。
【０１００】
（３）図２９は第３例を示す断面図である。この取付構造では、取付部８の両側部の下面に形成した突部８５６、８６６が、通水部材５の底部５１に形成した溝部５１５、５１６に、嵌合されている。
【０１０１】
この構造によっても、取付部８を通水部材５の任意の位置に簡単且つ確実に固定できる。
【０１０２】
（４）図３０は第４例を示す断面図である。この取付構造では、取付部８の両側部の下面に形成した溝部８５７、８６７に、通水部材５の両側部５２、５３に形成した突部５２７、５３７が、嵌合されている。
【０１０３】
この構造によっても、取付部８を通水部材５の任意の位置に簡単且つ確実に固定できる。
【０１０４】
（５）図３１は第５例を示す断面図である。この取付構造では、取付部８の両側部の下面に形成した溝部８５８、８６８に、通水部材５の底部５１に形成した突部５１７、５１８が、嵌合されている。
【０１０５】
この構造によっても、取付部８を通水部材５の任意の位置に簡単且つ確実に固定できる。
【０１０６】
（６）図３２は第６例を示す断面図である。この取付構造では、取付部８の両側部の下面を排水路５０の両側部５２、５３の上に直接に溶着している。
【０１０７】
この構造によっても、取付部８を通水部材５の任意の位置に簡単且つ確実に固定できる。
【０１０８】
［図２１のドレイン連結具３のホース差込孔部７の変形構造］
（１）図３３は第１例を示す側面図である。このホース差込孔部７は、湾曲している。
【０１０９】
この構造によれば、ドレインホース２０４の出口端部２０４１をホース差込孔部７から抜けにくくすることができる。
【０１１０】
（２）図３４は第２例を示す断面図である。図３４において、（ａ）は側面図、（ｂ）は背面図である。このホース差込孔部７は、上流側が２つの差込孔部７１、７２に分岐している。
【０１１１】
この構造によれば、現場においてドレインホース２０４が２本存在している場合に、１つのドレイン連結具３によって対処できる。
【０１１２】
なお、ホース差込孔部７は、上流側が３つ以上に分岐してもよい。
【０１１３】
［ドレイン排水設備３００の変形構造］
（１）図３５は第１例を示す断面図である。この構造では、１つのドレイン排水溝部材１に２つのドレイン連結具３を取り付けている。なお、蓋部材６の縁部６３とドレイン連結具３の縁部８３とは当接させて溶着されており、２つのドレイン連結具３の縁部８３、８４同士も当接させて接合されている。
【０１１４】
この構造によれば、現場においてドレインホース２０４が２本存在している場合に、１つのドレイン排水溝部材１によって対処できる。
【０１１５】
なお、１つのドレイン排水溝部材１に３つ以上のドレイン連結具３を取り付けてもよい。また、ドレイン連結具３としては、上述したいずれの構造を有するものでもよい。
【産業上の利用可能性】
【０１１６】
本発明のドレイン連結具は、ドレイン水を安定した状態でドレイン排水溝部材の排水路へ流し出すことができるので、産業上の利用価値が大なるものである。
【図面の簡単な説明】
【０１１７】
【図１】本発明の屋外床面設備の一例を示す部分断面斜視図である。
【図２】ドレイン排水設備の斜視図である。
【図３】ドレイン排水溝部材の斜視図である。
【図４】図３のIV−IV断面図である。
【図５】蓋部材を長手方向にスライドさせた状態のドレイン排水溝部材の斜視図である。
【図６】ドレイン連結具の拡大斜視図である。
【図７】図２のVII−VII断面図である。
【図８】ドレイン連結具を長手方向にスライドさせた状態のドレイン排水設備の斜視図である。
【図９】図６のドレイン連結具のスライド構造の変形構造の第１例を示す断面図である。
【図１０】図６のドレイン連結具のスライド構造の変形構造の第２例を示す断面図である。
【図１１】図６のドレイン連結具のスライド構造の変形構造の第３例を示す断面図である。
【図１２】図６のドレイン連結具の取付構造の変形構造の第１例を示す断面図である。
【図１３】図６のドレイン連結具の取付構造の変形構造の第２例を示す断面図である。
【図１４】図６のドレイン連結具の取付構造の変形構造の第３例を示す断面図である。
【図１５】図６のドレイン連結具の取付構造の変形構造の第４例を示す断面図である。
【図１６】図６のドレイン連結具の取付構造の変形構造の第５例を示す断面図である。
【図１７】図６のドレイン連結具の取付構造の変形構造の第６例を示す断面図である。
【図１８】図６のドレイン連結具のホース差込孔部の変形構造の第１例を示し、（ａ）は側面図、（ｂ）は背面図である。
【図１９】図６のドレイン連結具のホース差込孔部の変形構造の第２例を示し、（ａ）は側面図、（ｂ）は背面図である。
【図２０】図６のドレイン連結具のホース差込孔部の変形構造の第３例を示し、（ａ）は側面図、（ｂ）は背面図である。
【図２１】ドレイン連結具の変形構造の第１例を示す斜視図である。
【図２２】図２１のドレイン連結具を示し、（ａ）は側面図、（ｂ）は正面図、（ｃ）は背面図である。
【図２３】図２１のドレイン連結具を通水部材に取り付けた状態を示す断面図である。
【図２４】図２１のドレイン連結具のスライド構造の変形構造の第１例を示す断面図である。
【図２５】図２１のドレイン連結具のスライド構造の変形構造の第２例を示す断面図である。
【図２６】図２１のドレイン連結具のスライド構造の変形構造の第３例を示す断面図である。
【図２７】図２１のドレイン連結具の取付構造の取付構造の第１例を示す断面図である。
【図２８】図２１のドレイン連結具の取付構造の取付構造の第２例を示す断面図である。
【図２９】図２１のドレイン連結具の取付構造の取付構造の第３例を示す断面図である。
【図３０】図２１のドレイン連結具の取付構造の取付構造の第４例を示す断面図である。
【図３１】図２１のドレイン連結具の取付構造の取付構造の第５例を示す断面図である。
【図３２】図２１のドレイン連結具の取付構造の取付構造の第６例を示す断面図である。
【図３３】図２１のドレイン連結具のホース差込孔部の変形構造の第１例を示す側面図である。
【図３４】図２１のドレイン連結具のホース差込孔部の変形構造の第２例を示し、（ａ）は側面図、（ｂ）は背面図である。
【図３５】ドレイン排水設備の変形構造の第１例を示す断面図である。
【符号の説明】
【０１１８】
１  ドレイン排水溝部材  ２  床材  ２１  縁部  ２００  屋外  ２０１  床面  ２０４  ドレインホース  ２０４１  出口端部  ３  ドレイン連結具  ３０  ブロック体  ３００  ドレイン排水設備  ５  通水部材  ５０  排水路  ５１  底部  ５２、５３  側部  ５２１、５３１  溝部  ５２２、５３２  突部  ６  蓋部材  ６１、６２  縁部  ６１１、６２１  溝部  ７  ホース差込孔部  ８  取付部  ８１、８２  突部  ８１１、８２１  溝部  ８５、８６  突部  ８７１、８８１  溝部
【図１】
2007113355.tif 000003
【図２】
2007113355.tif 000004
【図３】
2007113355.tif 000005
【図４】
2007113355.tif 000006
【図５】
2007113355.tif 000007
【図６】
2007113355.tif 000008
【図７】
2007113355.tif 000009
【図８】
2007113355.tif 000010
【図９】
2007113355.tif 000011
【図１０】
2007113355.tif 000012
【図１１】
2007113355.tif 000013
【図１２】
2007113355.tif 000014
【図１３】
2007113355.tif 000015
【図１４】
2007113355.tif 000016
【図１５】
2007113355.tif 000017
【図１６】
2007113355.tif 000018
【図１７】
2007113355.tif 000019
【図１８】
2007113355.tif 000020
【図１９】
2007113355.tif 000021
【図２０】
2007113355.tif 000022
【図２１】
2007113355.tif 000023
【図２２】
2007113355.tif 000024
【図２３】
2007113355.tif 000025
【図２４】
2007113355.tif 000026
【図２５】
2007113355.tif 000027
【図２６】
2007113355.tif 000028
【図２７】
2007113355.tif 000029
【図２８】
2007113355.tif 000030
【図２９】
2007113355.tif 000031
【図３０】
2007113355.tif 000032
【図３１】
2007113355.tif 000033
【図３２】
2007113355.tif 000034
【図３３】
2007113355.tif 000035
【図３４】
2007113355.tif 000036
【図３５】
2007113355.tif 000037